(57)【要約】【課題】注目領域の内側で適切でない表示が行われている領域をユーザに容易に把握させることを可能にする技術を提供する。【解決手段】本発明の表示制御装置は、複数の光源を有する発光手段と、発光手段からの光を画像データに基づいて透過することにより、画面に画像を表示する表示手段と、を有する画像表示装置の表示を制御する表示制御装置であって、注目領域の内側の位置に対応する光源の発光輝度を第１の発光輝度に制御し、且つ、注目領域の外側の位置に対応する光源の発光輝度を第２の発光輝度に制御する輝度制御手段と、注目領域において発光手段からの光の輝度が閾値よりも低い低輝度領域に関する情報を取得する取得手段と、取得された情報に基づいて、対象画像データに対応する表示と異なる表示が低輝度領域において行われるように、画面の表示を制御する表示制御手段と、を有する。【選択図】図２
2017203949.tif 000002
【特許請求の範囲】
【請求項１】
複数の光源を有する発光手段と、
前記発光手段からの光を画像データに基づいて透過することにより、画面に画像を表示する表示手段と、
を有する画像表示装置の表示を制御する表示制御装置であって、
前記画面の一部の領域として設定された注目領域の内側の位置に対応する光源の発光輝度を第１の発光輝度に制御し、且つ、前記注目領域の外側の位置に対応する光源の発光輝度を、前記第１の発光輝度よりも低い第２の発光輝度に制御する輝度制御手段と、
前記注目領域において前記発光手段からの光の輝度が閾値よりも低い低輝度領域に関する情報を取得する取得手段と、
前記取得手段によって取得された前記情報に基づいて、表示対象の画像データである対象画像データに対応する表示と異なる表示が前記低輝度領域において行われるように、前記画面の表示を制御する表示制御を行う表示制御手段と、
を有することを特徴とする表示制御装置。
【請求項２】
前記表示制御では、前記対象画像データに対応する色と異なる色の表示が前記低輝度領域において行われるように、前記画面の表示が制御される
ことを特徴とする請求項１に記載の表示制御装置。
【請求項３】
前記対象画像データはモノクロ画像データであり、
前記表示制御では、前記低輝度領域においてカラー表示が行われるように、前記画面の表示が制御される
ことを特徴とする請求項１または２に記載の表示制御装置。
【請求項４】
前記表示制御では、前記低輝度領域に対応する前記対象画像データの画素値が変更される
ことを特徴とする請求項１〜３のいずれか１項に記載の表示制御装置。
【請求項５】
前記表示制御では、前記発光手段から前記低輝度領域への光が変更される
ことを特徴とする請求項１〜４のいずれか１項に記載の表示制御装置。
【請求項６】
前記表示制御手段は、ユーザ操作に応じて前記表示制御の実行と非実行を切り替える
ことを特徴とする請求項１〜５のいずれか１項に記載の表示制御装置。
【請求項７】
前記注目領域を設定する設定手段、をさらに有する
ことを特徴とする請求項１〜６のいずれか１項に記載の表示制御装置。
【請求項８】
前記設定手段は、ユーザ操作に応じて前記注目領域を設定する
ことを特徴とする請求項７に記載の表示制御装置。
【請求項９】
前記画像表示装置は、前記発光手段からの光の輝度分布を検出するセンサ、をさらに有し、
前記取得手段は、前記低輝度領域に関する前記情報として、前記センサによって検出された前記輝度分布を示す情報を取得し、
前記表示制御手段は、前記情報によって示された前記輝度分布に基づいて、前記注目領域から前記低輝度領域を検出する
ことを特徴とする請求項１〜８のいずれか１項に記載の表示制御装置。
【請求項１０】
前記第１の発光輝度は基準の発光輝度であり、
前記輝度制御手段は、前記注目領域の外側の位置に対応する光源の発光輝度を、前記基準の発光輝度から低減する
ことを特徴とする請求項１〜９のいずれか１項に記載の表示制御装置。
【請求項１１】
前記表示制御装置は前記画像表示装置である
ことを特徴とする請求項１〜１０のいずれか１項に記載の表示制御装置。
【請求項１２】
複数の光源を有する発光手段と、
前記発光手段からの光を画像データに基づいて透過することにより、画面に画像を表示する表示手段と、
を有する画像表示装置の表示を制御する表示制御方法であって、
前記画面の一部の領域として設定された注目領域の内側の位置に対応する光源の発光輝度を第１の発光輝度に制御し、且つ、前記注目領域の外側の位置に対応する光源の発光輝度を、前記第１の発光輝度よりも低い第２の発光輝度に制御するステップと、
前記注目領域において前記発光手段からの光の輝度が閾値よりも低い低輝度領域に関する情報を取得するステップと、
取得された前記情報に基づいて、表示対象の画像データである対象画像データに対応する表示と異なる表示が前記低輝度領域において行われるように、前記画面の表示を制御する表示制御を行うステップと、
を有することを特徴とする表示制御方法。
【請求項１３】
請求項１２に記載の表示制御方法の各ステップをコンピュータに実行させることを特徴とするプログラム。
【発明の詳細な説明】
【技術分野】
【０００１】
本発明は、表示制御装置および表示制御方法に関する。
【背景技術】
【０００２】
近年、マンモグラフィ画像などの医用画像の読影として、画像表示装置を用いた読影が行われている。フィルムを用いた読影と比較し、画像表示装置を用いた読影では、画像の拡大、縮小、階調変更、等を容易に行うことができるため、読影効率の向上が期待される。
【０００３】
読影には、一般的に、画像表示装置として、液晶表示装置が使用される。液晶表示装置では、バックライトユニットの光源として、発光ダイオード（Ｌｉｇｈｔ  Ｅｍｉｔｔｉｎｇ  Ｄｉｏｄｅ；ＬＥＤ）が使用されることが多い。液晶表示装置では、光源としてＬＥＤを使用することにより、高輝度かつ高効率な表示が実現可能となる。
【０００４】
液晶表示装置では、バックライトユニットの発光輝度（発光量）を変更することにより、表示輝度（画面の輝度）を変更することができる。また、バックライトユニットの発光色を変更することにより、表示色（画面の色）を変更することもできる（特許文献１）。
【０００５】
また、画面の複数の領域にそれぞれ対応する複数のＬＥＤをバックライトユニットが有する場合には、各ＬＥＤの発光輝度を個別に変更するローカルディミングが実行可能となる。例えば、医用画像の一部の領域が注目領域として設定された場合に、注目領域の外側の位置に対応するＬＥＤの発光輝度を低減するローカルディミングが行われる。それにより、注目領域の外側の表示輝度が低減され、注目領域に対する読影に集中しやすい表示が実現される。
【０００６】
しかしながら、ＬＥＤからの光は、当該ＬＥＤに対応する領域の周囲へ漏れる。そのため、注目領域の外側の位置に対応するＬＥＤの発光輝度を低減するローカルディミングでは、当該発光輝度の低減により、バックライトユニットからの光の輝度が変化する領域が注目領域の内側に発生する虞がある。さらに、注目領域の内側における上記輝度の変化により、読影に適さない領域が注目領域の内側に発生する虞がある。そして、読影に適さない領域の存在にユーザが気づかずに、誤診などが生じる虞がある。
【先行技術文献】
【特許文献】
【０００７】
【特許文献１】特開２０１１−３９１４３号公報
【発明の概要】
【発明が解決しようとする課題】
【０００８】
本発明は、注目領域の内側で適切でない表示が行われている領域をユーザに容易に把握させることを可能にする技術を提供することを目的とする。
【課題を解決するための手段】
【０００９】
本発明の第１の態様は、
複数の光源を有する発光手段と、
前記発光手段からの光を画像データに基づいて透過することにより、画面に画像を表示する表示手段と、
を有する画像表示装置の表示を制御する表示制御装置であって、
前記画面の一部の領域として設定された注目領域の内側の位置に対応する光源の発光輝度を第１の発光輝度に制御し、且つ、前記注目領域の外側の位置に対応する光源の発光輝度を、前記第１の発光輝度よりも低い第２の発光輝度に制御する輝度制御手段と、
前記注目領域において前記発光手段からの光の輝度が閾値よりも低い低輝度領域に関する情報を取得する取得手段と、
前記取得手段によって取得された前記情報に基づいて、表示対象の画像データである対象画像データに対応する表示と異なる表示が前記低輝度領域において行われるように、前記画面の表示を制御する表示制御を行う表示制御手段と、
を有することを特徴とする表示制御装置である。
【００１０】
本発明の第２の態様は、
複数の光源を有する発光手段と、
前記発光手段からの光を画像データに基づいて透過することにより、画面に画像を表示する表示手段と、
を有する画像表示装置の表示を制御する表示制御方法であって、
前記画面の一部の領域として設定された注目領域の内側の位置に対応する光源の発光輝度を第１の発光輝度に制御し、且つ、前記注目領域の外側の位置に対応する光源の発光輝度を、前記第１の発光輝度よりも低い第２の発光輝度に制御するステップと、
前記注目領域において前記発光手段からの光の輝度が閾値よりも低い低輝度領域に関する情報を取得するステップと、
取得された前記情報に基づいて、表示対象の画像データである対象画像データに対応する表示と異なる表示が前記低輝度領域において行われるように、前記画面の表示を制御する表示制御を行うステップと、
を有することを特徴とする表示制御方法である。
【００１１】
本発明の第３の態様は、上述した表示制御方法の各ステップをコンピュータに実行させることを特徴とするプログラムである。
【発明の効果】
【００１２】
本発明によれば、注目領域の内側で適切でない表示が行われている領域をユーザに容易に把握させることが可能となる。
【図面の簡単な説明】
【００１３】
【図１】実施例１に係る画像表示システムの構成例
【図２】実施例１に係る画像表示装置の構成例
【図３】実施例１に係る表示画像の一例
【図４】実施例１に係るバックライトユニットの構成例
【図５】実施例１に係る画像表示装置の動作例
【図６】実施例１に係る注目領域の一例
【図７】実施例１に係るバックライトユニットの発光状態の一例
【図８】実施例１に係る表示制御の一例
【図９】実施例２に係る画像表示装置の動作例
【図１０】実施例２に係るバックライトユニットの構成例
【図１１】実施例２に係る各発光素子の発光輝度の一例
【図１２】実施例４に係る画像表示システムの構成例
【図１３】実施例４に係る画像出力装置の動作例
【発明を実施するための形態】
【００１４】
＜実施例１＞
以下、本発明の実施例１について説明する。なお、以下では、本実施例に係る表示制御
装置が画像表示装置である例を説明するが、表示制御装置は表示装置とは別体の装置であってもよい。また、以下では、本実施例に係る画像表示装置が液晶表示装置である例を説明するが、画像表示装置は液晶表示装置に限られない。本実施例に係る画像表示装置は、発光部と、発光部からの光を画像データに基づいて透過することにより画面に画像を表示する表示部と、を有する画像表示装置であればよい。例えば、本実施例に係る画像表示装置は、表示素子としてＭＥＭＳ（Ｍｉｃｒｏ  Ｅｌｅｃｔｒｏ  Ｍｅｃｈａｎｉｃａｌ  Ｓｙｓｔｅｍ）シャッターを用いたＭＥＭＳシャッター方式表示装置であってもよい。画像表示装置とは別体の表示制御装置として、例えば、パーソナルコンピュータを使用することができる。
【００１５】
図１は、本実施例に係る画像表示システムの構成例を示す。図１の例では、画像表示システムは、画像表示装置１０１と画像出力装置１０２を有する。画像表示装置１０１と画像出力装置１０２とは、ケーブル１０３を用いて互いに接続されている。また、画像表示装置１０１と画像出力装置１０２とは、ケーブル１０３を用いて互いに接続されている。
【００１６】
画像出力装置１０２は、画像出力装置１０２の外部へ種々のデータを出力する。画像出力装置１０２としては、例えば、パーソナルコンピュータが使用される。画像出力装置１０２では、種々の画像（例えば、マンモグラフィ画像などの医用画像）を画像表示装置１０１で表示するためのアプリケーション（ビューワ）が動作する。
【００１７】
図１の例では、画像出力装置１０２は、ケーブル１０３を介して画像表示装置１０１へ、画像データを送信する。ケーブル１０３としては、例えば、ＤＰ（ＤｉｓｐｌａｙＰｏｒｔ）ケーブル（ＤＰケーブル）が使用される。また、画像出力装置１０２は、ケーブル１０４を用いて、画像表示装置１０１との通信を行う。例えば、画像出力装置１０２は、ケーブル１０４を介して画像表示装置１０１へ種々のデータを送信したり、画像表示装置１０１からケーブル１０４を介して種々のデータを受信したりする。ケーブル１０４としては、例えば、ＵＳＢ（Ｕｎｉｖｅｒｓａｌ  Ｓｅｒｉａｌ  Ｂｕｓ）ケーブルが使用される。
【００１８】
なお、画像表示装置１０１と画像出力装置１０２との間のデータの伝送方法は特に限定されない。例えば、ケーブル１０３を用いたデータの伝送と、ケーブル１０４を用いたデータの伝送とが、１本のケーブルを用いて実現されてもよい。ケーブル１０３を用いたデータの伝送と、ケーブル１０４を用いたデータの伝送との少なくとも一方が、無線通信により実現されてもよい。
【００１９】
画像表示装置１０１は、入力画像データ（画像表示装置１０１に入力された画像データ；画像出力装置１０２から出力された画像データ）に基づく画像を表示する。
【００２０】
図３は、画像表示装置１０１の画面に表示された画像（表示画像）の一例を示す。図３では、医用画像であるマンモグラフィ画像が表示されている。図３において、符号３０１は、ビューワのウィンドウを示し、符号３０２は、乳房を圧迫して撮影することで得られたマンモグラフィ画像を示す。そして、符号３０３は、乳房内に存在する病変（腫瘤など）を示す。マンモグラフィ画像は、Ｘ線を用いた撮影により得られた画像（撮影画像）であり、マンモグラフィ画像の画像データは、モノクロ画像データ（グレースケール画像データ）である。本実施例では、ビューワを用いて、モノクロ画像（モノクロ画像データに基づく画像）が表示される。即ち、本実施例では、上記入力画像データに含まれる対象画像データ（表示対象の画像データ；ウィンドウ３０１内に表示される画像に対応する画像データ）として、モノクロ画像データが使用される。
【００２１】
図２は、画像表示装置１０１の構成例を示す。画像表示装置１０１は、液晶パネル２０
１、センサ２０２、バックライトユニット２０３、通信部２０４、制御部２０５、操作部２０６、画像入力部２０７、及び、画像処理部２０８を有する。なお、画像表示装置１０１の上記各機能部は、ハードウェアによって実現されてもよいし、そうでなくてもよい。例えば、画像表示装置１０１が、プロセッサと、制御プログラムが格納されたメモリとを有していてもよい。そして、画像表示装置１０１が有する少なくとも一部の機能部の処理が、プロセッサがメモリから制御プログラムを読み出して実行することにより実現されてもよい。
【００２２】
液晶パネル２０１は、バックライトユニット２０３からの光を画像処理部２０８からの画像データに基づいて透過することにより、画面に画像を表示する表示部（表示パネル）である。具体的には、液晶パネル２０１は、複数の液晶素子を有し、画像処理部２０８からの画像データに基づいて各液晶素子の透過率（配向）を制御する。センサ２０２は、画像表示装置１０１の内部に設けられており、バックライトユニット２０３の発光輝度（発光量）を検出する。バックライトユニット２０３は、複数の光源を有する発光部である。バックライトユニット２０３は、液晶パネル２０１の背面に光を照射する。バックライトユニットの発光輝度を変更することにより、表示画像の輝度を変更することができる。また、一部の光源の発光輝度を変更することにより、表示画像の一部の輝度を変更することができる。バックライトユニット２０３の光源（発光素子）として、例えば、発光ダイオード（Ｌｉｇｈｔ  Ｅｍｉｔｔｉｎｇ  Ｄｉｏｄｅ；ＬＥＤ）、有機ＥＬ（Ｅｌｅｃｔｒｏ  Ｌｕｍｉｎｅｓｃｅｎｃｅ）素子、冷陰極管、等を使用することができる。
【００２３】
図４（Ａ）は、センサ２０２とバックライトユニット２０３の構成例を示す。図４（Ａ）に示すように、バックライトユニット２０３は、上記複数の光源として、複数のＬＥＤ４０１を有する。また、センサ２０２として、複数のセンサ４０２を有する。各センサ４０２は、バックライトユニット２０３の発光輝度を検出する。そのため、本実施例では、センサ２０２（複数のセンサ４０２）により、バックライトユニット２０３からの光の輝度分布が検出される。ここで、「バックライトユニット２０３からの光」は、「各ＬＥＤ４０１からの光を合成した合成光」を意味する。なお、ＬＥＤ４０１の数、ＬＥＤ４０１の配置、センサ４０２の数、及び、センサ４０２の配置は、特に限定されない。図４（Ｂ）は、各ＬＥＤ４０２が発光した状態の一例を示す。図４（Ｂ）において、破線の円４０３は、ＬＥＤ４０１に対応する領域を示す。円４０３の内側且つ画像表示装置１０１の内部の領域は、ＬＥＤ４０１から光が表示に影響を与える領域である。ここで、「画面の内側の領域」は、例えば、「画面の内側の領域」である。
【００２４】
通信部２０４は、ケーブル１０４を介して画像出力装置１０２との種々のデータの送受信を行う。制御部２０５は、画像表示装置１０１の種々の処理を制御する。画像入力部２０７は、画像出力装置１０２から出力された画像データ（入力画像データ）を、ケーブル１０３を介して取得する。具体的には、画像入力部２０７には、画像出力装置１０２からケーブル１０３を介して画像データ（入力画像データ）が入力される。
【００２５】
操作部２０６は、画像表示装置１０１に対するユーザ操作を受け付ける。ユーザ操作は、例えば、画像表示装置１０１に設けられたユーザインタフェース、画像表示装置１０１に接続されたユーザインタフェース、ユーザ操作に応じた無線信号を画像表示装置１０１に対して出力するユーザインタフェース、等を用いて行われる。画像表示装置１０１に設けられたユーザインタフェースは、例えば、ボタン（電源ボタン、種々の設定ボタン、等）、ダイヤルスイッチ、画面に設けられたタッチパネル、画面とは異なる位置に設けられたタッチパッド、等である。画像表示装置１０１に接続されたユーザインタフェースと、ユーザ操作に応じた無線信号を画像表示装置１０１に対して出力するユーザインタフェースとは、例えば、マウス、キーボード、コントローラ、等である。ユーザ操作は、画面に表示されたグラフィカルユーザインタフェース（マウスカーソルなどのポインティングデ
バイス）を用いて行われてもよい。ユーザインタフェースは、操作部２０６の一部であってもよいし、そうでなくてもよい。
【００２６】
画像処理部２０８は、画像入力部２０７によって取得された入力画像データのデータフォーマットを、液晶パネル２０１に入力可能なデータフォーマットに変換する。そして、画像処理部２０８は、データフォーマットが変換された後の画像データを、液晶パネル２０１へ出力する。さらに、画像処理部２０８は、バックライトユニット２０３の発光輝度を制御することができる。画像処理部２０８は、各ＬＥＤ４０１の発光輝度を個別に制御することができる（ローカルディミング）。図１に示すように、画像処理部２０８は、表示情報取得部２０９と表示変更部２１０を有する。なお、表示情報取得部２０９と表示変更部２１０の少なくとも一方は、画像処理部２０８とは別体の機能部であってもよい。
【００２７】
表示情報取得部２０９は、表示情報を取得する。表示情報は、画面の一部の領域として設定された注目領域においてバックライトユニット２０３からの光の輝度が閾値よりも低い低輝度領域に関する情報である。本実施例では、表示情報取得部２０９は、表示情報として、センサ２０２によって検出された輝度分布を示す情報を、センサ２０２から取得する。「センサ２０２によって検出された輝度分布を示す情報」は、例えば、「各センサ４０２の検出値を示す情報」である。
【００２８】
表示変更部２１０は、表示情報取得部２０９によって取得された表示情報に基づいて、画面の表示を制御する表示制御を行う。本実施例では、表示変更部２１０は、入力画像データの画素値を変更することにより、上記表示制御を実現する。
【００２９】
図５を用いて、画像表示装置１０１の動作例を説明する。図５は、画像表示装置１０１の動作例を示すフローチャートである。図５のフローチャートは、例えば、画像表示装置１０１の起動、ビューワの起動、等をトリガとして開始される。
【００３０】
まず、Ｓ５０１にて、制御部２０５が注目領域を設定する。本実施例では、制御部２０５は、ユーザ操作に応じて注目領域を設定する。具体的には、画像表示装置１０１に対するユーザ操作（注目領域を指定するユーザ操作）が操作部２０６を用いて行われると、行われたユーザ操作に応じた信号を操作部２０６が制御部２０５へ出力する。そして、制御部２０５は、操作部２０６からの信号に応じて、ユーザに指定された注目領域を設定する。
【００３１】
なお、注目領域の設定方法は特に限定されない。例えば、入力画像データに基づいて自動で注目領域が設定されてもよい。注目領域を示す領域データが画像出力装置１０２から通信部２０４へ出力され、領域データに応じて注目領域が設定されてもよい。画像出力装置１０２は、例えば、入力画像データに基づいて領域データを生成したり、画像出力装置に対するユーザ操作に応じて領域データを生成したりする。
【００３２】
図３の画像が表示されている場合には、ユーザは、ウィンドウ３０１の内側に注目領域を設定する。図６は、注目領域の一例を示す。図６において、符号６０１は、注目領域を示す。図６の例では、注目領域６０１として、四角形の領域が設定されている。なお、注目領域の形状、注目領域のサイズ、等は特に限定されない。
【００３３】
次に、Ｓ５０２にて、画像処理部２０８が、Ｓ５０１において設定された注目領域の内側の位置に対応するＬＥＤ４０１の発光輝度を第１の発光輝度に制御し、注目領域の外側の位置に対応するＬＥＤ４０１の発光輝度を第２の発光輝度に制御する（輝度制御）。第２の発光輝度は、第１の発光輝度よりも低い。本実施例では、ローカルディミングが行われない場合に、各ＬＥＤ４０１の発光輝度が基準輝度（基準の発光輝度）に制御される。
そして、基準輝度が第１の発光輝度として使用される。そのため、Ｓ５０２では、注目領域の内側の位置に対応するＬＥＤ４０１の発光輝度が変更されず、注目領域の外側の位置に対応するＬＥＤ４０１の発光輝度が基準輝度から低減される。
【００３４】
Ｓ５０２の処理により、注目領域における画像が、注目領域以外の領域における画像の輝度よりも高い輝度で表示される。その結果、注目領域に対する観察がしやすくなる。具体的には、注目領域に対する読影がしやすくなる。
【００３５】
なお、第２の発光輝度が第１の発光輝度よりも低ければ、第１の発光輝度と第２の発光輝度とは特に限定されない。第１の発光輝度と第２の発光輝度とのそれぞれは、メーカによって予め定められた固定輝度であってもよいし、ユーザが変更可能な輝度であってもよい。Ｓ５０２において、注目領域の内側の位置に対応するＬＥＤ４０１の発光輝度が基準輝度から高められてもよい。注目領域の内側の位置に対応するＬＥＤ４０１の発光輝度を基準輝度から高める処理と、注目領域の外側の位置に対応するＬＥＤ４０１の発光輝度を基準輝度から低減する処理との一方が行われてもよいし、それら２つの処理の両方が行われてもよい。
【００３６】
そして、Ｓ５０３にて、表示情報取得部２０９が、センサ２０２から表示情報を取得する。ここでは、Ｓ５０２の処理が行われた後にセンサ２０２によって検出された輝度分布を示す情報が、表示情報として取得される。センサ２０２による輝度分布の検出は常時行われてもよいし、そうでなくてもよい。表示情報取得部２０９が表示情報を取得するタイミングでのみ輝度分布の検出が行われてもよい。
【００３７】
次に、Ｓ５０４にて、表示変更部２１０が、Ｓ５０３において取得された表示情報（表示情報によって示された輝度分布）に基づいて、Ｓ５０１において設定された注目領域から低輝度領域を検出する。
【００３８】
図７（Ａ），７（Ｂ）は、バックライトユニット２０３の発光状態の一例を示す。図７（Ａ）は、全てのＬＥＤ４０１が基準輝度（第１の発光輝度）で発光した発光状態（非ローカルディミング状態）を示す。図７（Ｂ）は、注目領域の外側の位置に対応するＬＥＤ４０１の発光輝度が第２の発光輝度に低減された発光状態（ローカルディミング状態）を示す。ここでは、簡単のために、「ＬＥＤ４０１の発光輝度が第２の発光輝度に制御された状態」として「ＬＥＤ４０１が消灯した状態」を考える。図７（Ａ），７（Ｂ）では、符号４０１は省略されている。
【００３９】
図７（Ａ）において、円７０１は、対応するＬＥＤ４０１が点灯している状態を示す。破線７０２で囲まれた部分には、ＬＥＤ７０３，７０４，７０５，７０６をｙ軸方向から見た断面図（画像表示装置１０１の断面図）が示されている。符号７０７は、バックライトユニット２０３からの光の輝度分布を示す。非ローカルディミング状態では、全てのＬＥＤ４０１が基準輝度で発光しているため、輝度分布７０７として、画面内で一様な輝度分布が得られる。
【００４０】
図７（Ｂ）において、円７０８は、対応するＬＥＤ４０１が消灯している状態を示す。符号７０９は注目領域を示す。図７（Ｂ）から、注目領域７０９の内側のＬＥＤ４０１が点灯していることと、注目領域７０９の外側のＬＥＤ４０１が消灯していることとがわかる。破線７１０で囲まれた部分には、ＬＥＤ７０３，７０４，７０５，７０６をｙ軸方向から見た断面図（画像表示装置１０１の断面図）が示されている。矢印７１１で示された範囲は、注目領域７０９に対応する。符号７１２は、バックライトユニット２０３からの光の輝度分布を示す。ＬＥＤ７０３，７０６の消灯により、輝度分布７１２では、注目領域７０９の内側から外側にかけて徐々に輝度が低下する。そのため、注目領域７０９には
、輝度が閾値よりも低い低輝度領域が存在する。矢印７１３で示された範囲は、低輝度領域に対応する。
【００４１】
そして、Ｓ５０５にて、表示変更部２１０が、Ｓ５０４において低輝度領域が検出されたか否かを判断する。低輝度領域が検出された場合には、Ｓ５０６へ処理が進められる。低輝度領域が検出されなかった場合には、本フローチャートが終了される。
【００４２】
Ｓ５０６にて、表示変更部２１０が、入力画像データ（対象画像データ）に対応する表示と異なる表示が低輝度領域において行われるように、入力画像データの画素値を変更する。本実施例では、表示変更部２１０は、入力画像データに対応する色と異なる色の表示が低輝度領域において行われるように、入力画像データの画素値を変更する。具体的には、表示変更部２１０は、低輝度領域においてカラー表示が行われるように、入力画像データの画素値を変更する。より具体的には、表示変更部２１０は、低輝度領域に対応する画素値を、モノクロ画素値からカラー画素値（赤、青、緑、黄色、紫色、等に対応する画素値）に変更する。
【００４３】
Ｓ５０６の処理の具体例について、図８を用いて説明する。図８において、符号８０１は、Ｓ５０１においてユーザによって指定された注目領域を示し、符号８０２は、Ｓ５０４において検出された低輝度領域を示す。Ｓ５０６の処理により、低輝度領域８０２についてのみ、モノクロ表示からカラー表示へ表示が変更される。それにより、ユーザは、画面を見ることで、低輝度領域を容易に把握することができる。低輝度領域は、注目領域の内側で適切でない表示が行われている領域である。そのため、ユーザは、低輝度領域を把握することで、注目領域に対する観察（読影）を高精度に行うことができる。例えば、低輝度領域に対する読影を抑制することができる。
【００４４】
以上述べたように、本実施例によれば、低輝度領域に関する情報が取得され、対象画像データに対応する表示と異なる表示が低輝度領域において行われるように、画面の表示が制御される。具体的には、低輝度領域に対応する対象画像データの画素値が変更される。それにより、注目領域の内側で適切でない表示が行われている領域をユーザに容易に把握させることが可能となる。
【００４５】
なお、対象画像データが、入力画像データの一部であり、モノクロ画像データであり、且つ、医用画像の画像データである例を説明したが、対象画像データは特に限定されない。例えば、対象画像データはカラー画像データであってもよい。対象画像データは入力画像データ全体であってもよい。対象画像データは、風景写真、人物写真、イラスト、赤外線写真、等を表す画像データであってもよい。
【００４６】
なお、表示情報（低輝度領域に関する情報）が、センサ２０２によって検出された輝度分布を示す情報である例を説明したが、表示情報はこれに限られない。例えば、表示情報は、各ＬＥＤ４０１に供給される制御信号（ＬＥＤ４０１の発光輝度を制御するための信号）の値を示す情報であってもよい。その場合には、例えば、各ＬＥＤ４０１の制御信号に基づいて上記輝度分布が推定され、注目領域と推定された輝度分布とに基づいて低輝度領域が検出される。
【００４７】
なお、低輝度領域の表示色（画面の色）を変更する表示制御が行われる例を説明したが、表示制御はこれに限られない。低輝度領域の識別し易さが向上されれば、どのような表示制御が行われてもよい。例えば、低輝度領域の表示輝度（画面の輝度）を変更する表示制御が行われてもよい。低輝度領域の表示色と表示輝度の両方を変更する表示制御が行われてもよい。表示制御によって、点滅表示、ハッチング表示（網掛け表示）、等が低輝度領域で行われてもよい。表示制御によって、低輝度領域の輪郭線が表示されてもよい。
【００４８】
また、低輝度領域における表示が所定の表示（所定の表示色、所定の表示輝度、所定の点滅パターン、所定のハッチングパターン、所定の輪郭線、等を用いた表示）に変更されてもよいし、そうでなくてもよい。例えば、表示制御が行われた後の表示が、表示制御が行われる前の低輝度領域の表示に依存してもよい。具体的には、低輝度領域内の各位置（各領域）について、各ＬＥＤ４０１の発光輝度が基準輝度である場合からの輝度（表示輝度、または、バックライトユニット２０３からの光の輝度）の変化量が判断されてもよい。そして、低輝度領域内の各位置について、判断された変化量に応じた表示へ表示が変更されてもよい。具体的には、輝度の変化量が大きいほど大きい変化量で画素値が変更されてもよい。それにより、輝度の変化量の大小をユーザが容易に把握することができる。
【００４９】
なお、表示制御が行われた後の表示は、注目領域に対する観察（読影）を妨げない表示であることが好ましい。例えば、マンモグラフィ画像の表示には、クリアベースの表示とブルーベースの表示との２種類の表示がよく使用される。そのため、低輝度領域においてクリアベースの表示が行われる場合には、低輝度領域においてブルーベースの表示が行われるように、低輝度領域の表示色が変更されることが好ましい。また、低輝度領域においてブルーベースの表示が行われる場合には、低輝度領域においてクリアベースの表示が行われるように、低輝度領域の表示色が変更されることが好ましい。
【００５０】
＜実施例２＞
以下、本発明の実施例２について説明する。実施例１では、表示制御において対象画像データの画素値が変更される例を説明した。本実施例では、表示制御においてバックライトユニットから低輝度領域への光が変更される例を説明する。なお、以下では、実施例１と異なる構成や処理について詳しく説明し、実施例１と同様の構成や処理についての説明は省略する。
【００５１】
白色の発光素子のみがバックライトユニットの光源として使用される場合と、複数色にそれぞれ対応する複数の発光素子の集まりが光源として使用される場合とがある。例えば、広色域の表示を実現したい場合には、複数色にそれぞれ対応する複数の発光素子の集まりが光源として使用される。そして、複数色にそれぞれ対応する複数の発光素子の集まりが光源として使用される場合には、複数の発光素子の間における発光輝度比（発光輝度の比）を変更することにより、光源の発光色を変更することができる。そして、一部の光源の発光色を変更することにより、バックユニットから画面の一部への光の色を変更することができる。複数色にそれぞれ対応する複数の発光素子として、例えば、赤色光を発する発光素子、緑色光を発する発光素子、及び、青色光を発する発光素子が使用される。
【００５２】
本実施例に係る画像表示装置の構成は、実施例１（図２）と同じである。図９は、本実施例に係る画像表示装置１０１の動作例を示すフローチャートである。図９を用いて、本実施例に係る画像表示装置１０１の動作例を説明する。
【００５３】
Ｓ９０１〜Ｓ９０５の処理は、実施例１（図５）のＳ５０１〜Ｓ５０５の処理と同様である。Ｓ９０５において低輝度領域が検出された場合には、Ｓ９０６へ処理が進められる。Ｓ９０５において低輝度領域が検出されなかった場合には、本フローチャートが終了される。
【００５４】
Ｓ９０６にて、表示変更部２１０が、入力画像データ（対象画像データ）に対応する表示と異なる表示が低輝度領域において行われるように、バックライトユニット２０３からの低輝度領域への光を変更する。本実施例では、表示変更部２１０は、入力画像データに対応する色と異なる色の表示が低輝度領域において行われるように、バックライトユニット２０３からの低輝度領域への光の色を変更する。具体的には、表示変更部２１０は、低
輝度領域においてカラー表示が行われるように、バックライトユニット２０３からの低輝度領域への光の色を白色から有色（赤、青、緑、黄色、紫色、等）に変更する。
【００５５】
Ｓ９０６の処理の具体例について、図１０，１１（Ａ），１１（Ｂ）を用いて説明する。図１０は、本実施例に係るバックライトユニット２０３の構成例を示す。図１０の符号１００１は、光源を示す。図１０に示すように、各光源１００１は、赤色ＬＥＤ１００２、緑色ＬＥＤ１００３、及び、青色ＬＥＤ１００４を有する。赤色ＬＥＤ１００２は赤色光を発し、緑色ＬＥＤ１００３は緑色光を発し、青色ＬＥＤ１００４は青色光を発する。赤色ＬＥＤ１００２、緑色ＬＥＤ１００３、及び、青色ＬＥＤ１００４の間の発光輝度比を所定比に制御することにより、光源１００１からの光として白色光が得られ、モノクロ表示が可能となる。図１１（Ａ），１１（Ｂ）は、赤色ＬＥＤ１００２、緑色ＬＥＤ１００３、及び、青色ＬＥＤ１００４の発光輝度の一例を示す。図１１（Ａ）は、光源１００１からの光として白色光を得るための発光輝度比の一例を示す。
【００５６】
本実施例では、Ｓ９０６において、図１１（Ｂ）の符号１１０１で示すように赤色ＬＥＤ１００２の発光輝度が低減され、図１１（Ｂ）の符号１１０２で示すように緑色ＬＥＤ１００３の発光輝度が低減される。それにより、光源１００１からの光の色が白色から青色に近づけられ、モノクロ表示からカラー表示（青色表示）へ表示が近づけられる。ここで、注目領域から低輝度領域を除いた領域を、「所望輝度領域」と記載する。Ｓ９０６では、例えば、低輝度領域へ光を照射し、且つ、所望輝度領域へ光を照射しない光源の発光色が変更される。それにより、低輝度領域の表示がモノクロ表示からカラー表示へ変更される。その結果、ユーザは、画面を見ることで、低輝度領域を容易に把握することができ、注目領域に対する観察（読影）を高精度に行うことができる。
【００５７】
以上述べたように、本実施例においても、低輝度領域に関する情報が取得され、対象画像データに対応する表示と異なる表示が低輝度領域において行われるように、画面の表示が制御される。具体的には、バックライトユニットから低輝度領域への光が変更される。それにより、注目領域の内側で適切でない表示が行われている領域をユーザに容易に把握させることが可能となる。
【００５８】
なお、バックライトユニットから低輝度領域への光の色を青色に近づける例を説明したが、これに限られない。バックライトユニットから低輝度領域への光の色が青色とは異なる色に近づけられてもよい。バックライトユニットから低輝度領域への光の輝度、点滅パターン、等が変更されてもよい。バックライトユニットから低輝度領域への光と、低輝度領域に対応する対象画像データとの両方が変更されてもよい。
【００５９】
＜実施例３＞
以下、本発明の実施例３について説明する。実施例１，２では、低輝度領域が検出された場合に、低輝度領域における表示を変更する表示制御を常に行う例を説明した。本実施例では、表示制御装置に対するユーザ操作に応じて表示制御の実行と非実行を切り替える例を説明する。なお、以下では、実施例１と異なる構成や処理について詳しく説明し、実施例１と同様の構成や処理についての説明は省略する。
【００６０】
本実施例では、画像表示装置１０１に対するユーザ操作として、表示制御の実行または非実行に関するユーザ操作が行われる。例えば、表示制御の実行を指定するユーザ操作、表示制御の非実行を指定するユーザ操作、表示制御の実行を許可する動作モードを指定するユーザ操作、表示制御の実行を許可しない動作モードを指定するユーザ操作、等が行われる。これらのユーザ操作は、例えば、操作部２０６を用いて行われる。表示制御の実行（表示制御の実行を許可する動作モード）がユーザによって指定されると、表示制御の実行を許可する設定が、制御部２０５によって行われる。その結果、実施例１，２の表示制
御が行われる。表示制御の非実行（表示制御の実行を許可しない動作モード）がユーザによって指定されると、表示制御の実行を許可しない設定が、制御部２０５によって行われる。その結果、実施例１，２の表示制御は行われずに、低輝度領域が存在しても、実施例１，２で述べた表示制御が行われる前の表示が行われる。また、表示制御の実行と非実行が切り替えられると、当該切り替えに応じて、実施例１，２で述べた表示制御が行われる前の表示と、当該表示制御が行われた後の表示との間で、表示が切り替えられる。
【００６１】
以上述べたように、本実施例によれば、ユーザ操作に応じて表示制御の実行と非実行が切り替えられる。それにより、注目領域の内側で適切でない表示が行われている領域をユーザに容易に把握させることが可能となるだけでなく、注目領域の観察を表示制御が妨げることを抑制することもできる。その結果、ユーザは、注目領域に対する観察をより高精度に行うことができる。
【００６２】
＜実施例４＞
以下、本発明の実施例４について説明する。実施例１〜３では、表示制御装置が画像表示装置である例を説明した。本実施例では、表示制御装置が画像表示装置とは別体の装置である例を説明する。具体的には、本実施例では、表示制御装置が画像出力装置１０２である例を説明する。
【００６３】
図１２は、本実施例に係る画像表示システムの構成例を示す。図１２に示すように、画像表示装置１０１は、実施例１（図２）と同じ機能部を有する。但し、画像処理部２０８は、表示情報取得部２０９と表示変更部２１０を有していない。画像出力装置１０２は、ＣＰＵ１２０１、画像出力部１２０２、通信部１２０３、操作部１２０４、メモリ１２０５、及び、記憶部１２０６を有する。画像出力装置１０２が有する各機能部は、内部バス１２０７に接続されている。画像出力装置１０２が有する機能部間のデータの送受信は、内部バス１２０７を介して行われる。
【００６４】
ＣＰＵ（Ｃｅｎｔｒａｌ  Ｐｒｏｃｅｓｓｉｎｇ  Ｕｎｉｔ）１２０１は、画像出力装置１０２の処理を制御する。例えば、ＣＰＵ１２０１は、記憶部１２０６が記憶しているＯＳ（Ｏｐｅｒａｔｉｎｇ  Ｓｙｓｔｅｍ）（ＯＳプログラム）を展開して実行することにより、画像出力装置１０２の様々な処理（機能部）を実現する。また、ＣＰＵ１２０１は、記憶部１２０６が記憶しているアプリケーション（アプリケーションプログラム）を展開して実行することにより、当該アプリケーションに対応する処理（機能部）を実現する。本実施例では、ＣＰＵ１２０１は、アプリケーションであるビューワ１２０８を実行することにより、表示変更部１２０９が実現される。
【００６５】
画像出力部１２０２は、ケーブル１０３を介して画像表示装置１０１（画像入力部２０７）へ、画像データを出力する。通信部１２０３は、ケーブル１０４を介して画像表示装置１０１との種々のデータの送受信を行う。操作部１２０４は、画像出力装置１０２に対するユーザ操作を受け付ける。画像表示装置１０１に対するユーザ操作と同様に、画像出力装置１０２に対するユーザ操作は、様々なユーザインタフェースを用いて行われる。ユーザインタフェースは、操作部１２０４の一部であってもよいし、そうでなくてもよい。
【００６６】
メモリ１２０５は、画像出力装置１０２において使用される種々のデータを一時的に記憶する。例えば、メモリ１２０５には、画像表示装置１０１へ出力される画像データ（出力画像データ）、ＣＰＵ１２０１で動作するアプリケーションにおいて使用されるデータ、等が記録される。記憶部１２０６は、ＯＳ、種々のアプリケーション、種々のアプリケーションで使用されるデータ、等を記憶する。記憶部１２０６としては、ハードディスク、不揮発性メモリ、等が使用される。
【００６７】
ビューワ１２０８は、種々の画像（例えば、マンモグラフィ画像などの医用画像）を画像表示装置１０１で表示するためのアプリケーションである。本実施例では、ビューワ１２０８によって生成された画像データが、画像出力部１２０２を介して、画像表示装置１０１へ出力される。上述したように、ビューワ１２０８により、表示変更部１２０９が実現される。表示変更部１２０９は、実施例１〜３で述べた表示制御を行う。
【００６８】
図１３を用いて、画像出力装置１０２の動作例を説明する。図１２は、画像出力装置１０２の動作例を示すフローチャートである。図１２のフローチャートは、例えば、画像出力装置１０２の起動、ビューワ１２０８の起動、等をトリガとして開始される。
【００６９】
まず、Ｓ１３０１にて、ビューワ１２０８（ＣＰＵ１２０１）が注目領域を設定する。本実施例では、ビューワ１２０８は、ユーザ操作に応じて注目領域を設定する。具体的には、画像出力装置１０２に対するユーザ操作（注目領域を指定するユーザ操作）が操作部１２０４を用いて行われると、行われたユーザ操作に応じた信号を操作部１２０４がビューワ１２０８へ出力する。そして、ビューワ１２０８は、操作部１２０４からの信号に応じて、ユーザに指定された注目領域を設定する。
【００７０】
次に、Ｓ１３０２にて、ビューワ１２０８が、Ｓ１３０１において設定された注目領域の内側の位置に対応するＬＥＤ４０１の発光輝度を第１の発光輝度に制御し、注目領域の外側の位置に対応するＬＥＤ４０１の発光輝度を第２の発光輝度に制御する。具体的には、ビューワ１２０８は、各ＬＥＤ４０１の発光輝度を上記発光輝度（第１の発光輝度または第２の発光輝度）に制御する指示を、通信部１２０３を介して画像表示装置１０１へ出力する。そして、画像表示装置１０１が、画像出力装置１０２からの指示に応じて、各ＬＥＤ４０１の発光輝度を上記発光輝度に制御する。
【００７１】
なお、注目領域の内側の位置に対応するＬＥＤの発光輝度が第１の発光輝度に制御され、注目領域の外側の位置に対応するＬＥＤの発光輝度が第２の発光輝度に制御されれば、注目領域の設定方法、各ＬＥＤの発光輝度の制御方法、等は特に限定されない。
【００７２】
例えば、注目領域の設定は画像表示装置１０１で行われてもよい。その場合には、通信部１２０３が、設定された注目領域の情報を画像表示装置１０１から取得し、取得した情報をビューワ１２０８に通知してもよい。
【００７３】
また、Ｓ１３０２にて、注目領域の情報が画像表示装置１０１に通知されてもよい。そして、画像表示装置１０１が、通知された情報に基づいて、各ＬＥＤの発光輝度を上記発光輝度に制御してもよい。また、画像表示装置１０１によって注目領域が設定される場合には、画像出力装置１０２から画像表示装置１０１への情報（指示）の出力が行われずに、画像表示装置１０１が、設定した注目領域に基づいて、各ＬＥＤの発光輝度を上記発光輝度に制御してもよい。
【００７４】
そして、Ｓ１３０３にて、ビューワ１２０８が、画像表示装置１０１から通信部１２０３を介して、表示情報を取得する。Ｓ１３０３では、例えば、Ｓ１３０２の処理が行われた後にセンサ２０２によって検出された輝度分布を示す情報が、表示情報として取得される。実施例１で述べたように、表示情報として、各ＬＥＤに供給される制御信号の値を示す情報が取得されてもよい。なお、表示情報は画像出力装置１０２の内部で生成されてもよい。
【００７５】
次に、Ｓ１３０４にて、表示変更部１２０９が、Ｓ１３０３において取得された表示情報に基づいて、Ｓ１３０１において設定された注目領域から低輝度領域を検出する。なお、低輝度領域の検出は画像表示装置１０１で行われ、低輝度領域を示す情報が表示情報と
して取得されてもよい。
【００７６】
そして、Ｓ１３０５にて、表示変更部１２０９が、Ｓ１３０４において低輝度領域が検出されたか否かを判断する。低輝度領域が検出された場合には、Ｓ１３０６へ処理が進められる。低輝度領域が検出されなかった場合には、本フローチャートが終了される。
【００７７】
Ｓ１３０６にて、表示変更部１２０９が、入力画像データ（対象画像データ）に対応する表示と異なる表示が低輝度領域において行われるように、画像表示装置１０１の画面の表示を制御する。例えば、Ｓ１３０６では、低輝度領域の対象画像データの画素値が変更されたり、バックライトユニット２０３から低輝度領域への光が変更されたりする。対象画像データの画素値を変更する処理は、出力画像データの画素値を変更する処理である。バックライトユニット２０３からの光を変更する処理は、ＬＥＤの発光（発光色、発光輝度、等）を変更する指示を、通信部１２０３を介して画像表示装置１０１へ出力する処理である。
【００７８】
以上述べたように、本実施例によれば、画像出力装置によって、低輝度領域に関する情報が取得され、対象画像データに対応する表示と異なる表示が低輝度領域において行われるように、画像表示装置の画面の表示が制御される。それにより、注目領域の内側で適切でない表示が行われている領域をユーザに容易に把握させることが可能となる。
【００７９】
＜その他の実施例＞
本発明は、上述の実施例の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００８０】
１０１：画像表示装置  １０２：画像出力装置  ２０８：画像処理部
２０９：表示情報取得部  ２１０：表示変更部  １２０３：通信部
１２０８：ビューワ  １２０９：表示変更部
【図１】
2017203949.tif 000003
【図２】
2017203949.tif 000004
【図３】
2017203949.tif 000005
【図４】
2017203949.tif 000006
【図５】
2017203949.tif 000007
【図６】
2017203949.tif 000008
【図７】
2017203949.tif 000009
【図８】
2017203949.tif 000010
【図９】
2017203949.tif 000011
【図１０】
2017203949.tif 000012
【図１１】
2017203949.tif 000013
【図１２】
2017203949.tif 000014
【図１３】
2017203949.tif 000015